(57)【要約】      （修正有）【課題】乗者が積極的に掴みたくなるようなエスカレーター用手摺を提供する。【解決手段】エスカレーター１におけるステップ１０と連動して動く無端ベルト状の手摺１２である。手摺１２の表面に、所定図柄２０が所定間隔を置いて複数箇所に表示されている構成となっている。かかる図柄２０としては、ハート等の記号や果物等の絵、キャラクターの絵や注意喚起のマーク及び文言、その他宣伝広告情報など、種々の図柄が考え得る。【選択図】図１
0003186575.tif 000002
【実用新案登録請求の範囲】
【請求項１】
エスカレーターにおけるステップと連動して動く無端ベルト状の手摺であって、
手摺の表面に、所定図柄が所定間隔を置いて複数箇所に表示されていることを特徴とするエスカレーター用手摺。
【請求項２】
前記図柄が、裏面に粘着層を有するシール材により構成されていることを特徴とする請求項１に記載のエスカレーター用手摺。
【請求項３】
前記図柄が、抗菌性を備えて成ることを特徴とする請求項１または請求項２に記載のエスカレーター用手摺。
【請求項４】
前記図柄が、蓄光性あるいは発光性を備えて成ることを特徴とする請求項１から請求項３のいずれかに記載のエスカレーター用手摺。
【考案の詳細な説明】
【技術分野】
【０００１】
本考案は、エスカレーターで用いられる手摺に関し、詳しくは、エスカレーターのステップと連動して動くベルト状の手摺に関するものである。
【背景技術】
【０００２】
エスカレーターは、基本構成として、自動で昇降する階段状のステップと、該ステップと連動して動く無端ベルト状の手摺から成り、中にはステップが階段状ではなく平面状の無端状ベルトから構成されているものも存在し、該ステップ上に乗ることで、人は自らの脚を使わずに決められた先へ移動することが可能となる。該エスカレーターは、単に直線的に上下昇降するタイプのものが一般的であるが、螺旋状に昇降するスパイラルタイプや途中で水平部を有するタイプ、全体が水平であって昇降しないタイプなど、種々の形態が存在する。これら種々あるエスカレーターの構成・形態において、共通するのは手摺の存在である。
【０００３】
かかるエスカレーターの手摺は、ウレタン等の合成樹脂素材により赤色その他の単一色から成る無端ベルト状に成形され、ステップの左右両方に配備されて、ステップの動き・速度に合わせて周回運動を行っている。ステップ上の人がかかる手摺を手で掴むことで、該ステップが動くことで起こり得る危険を回避して、乗者の安全の一助に資することとなる。
【０００４】
しかしながら、エスカレーターの手摺は、多くの乗者の手が接触しているために不潔感があり、また、長年の使用で落ちない汚れが付着するなどして、乗者にとって好んで掴みたくなるものではなく、その結果手摺を掴まなかった乗者が転落事故を起こす危険があった。
【０００５】
そこで、当該手摺を清潔に保つべく、特開２００１−２７８５７３号公報（特許文献１）や登録実用新案第３０４４４２６号公報（特許文献２）などに記載の技術が提案されている。すなわち、これらの提案は、光触媒によって抗菌作用を発揮する酸化チタンを手摺の素材中に配合したり、あるいは、手摺表面を抗菌シートでカバーすることで、エスカレーターの手摺に抗菌性を持たせて清潔に保とうとする技術である。
【０００６】
しかしながら、上記技術提案によれば、抗菌性の有無について見た目に違いがわかるものではなく、事故防止のために手摺を掴むことを乗者に対し積極的に喚起するものとして、あまり期待できるものではなかった。
【０００７】
【特許文献１】特開２００１−２７８５７３号公報
【特許文献２】登録実用新案第３０４４４２６号公報
【考案の開示】
【考案が解決しようとする課題】
【０００８】
そこで本考案は、上記問題点に鑑み、乗者が積極的に掴みたくなるようなエスカレーターの手摺を提供することを課題とするものである。
【課題を解決するための手段】
【０００９】
上記課題を解決するため、本考案は、エスカレーターにおけるステップと連動して動く無端ベルト状の手摺であって、該手摺の表面に、所定図柄が所定間隔を置いて複数箇所に表示されている構成となっている。
【００１０】
また、本考案は、前記図柄が、裏面に粘着層を有するシール材により構成されている構成となっている。
【００１１】
さらに、本考案は、前記図柄が、抗菌性を備えている構成を採用することもできる。
【００１２】
そしてまた、本考案は、前記図柄が、蓄光性あるいは発光性を備えている構成とすることも可能である。
【考案の効果】
【００１３】
本考案にかかるエスカレーター用手摺によれば、乗者が掴みたくなるような図柄をエスカレーターの手摺に表示することで、乗者が積極的に手摺を掴むよう喚起することができ、その結果乗者の安全性向上に資するといった、従来にない優れた効果を奏するものである。
【図面の簡単な説明】
【００１４】
【図１】本考案にかかるエスカレーター用手摺の実施形態を示す説明図である。
【図２】本考案にかかるエスカレーター用手摺に表示される図柄を例示する説明図である。
【考案を実施するための形態】
【００１５】
本考案は、エスカレーター１に用いられる手摺１２の表面に、所定の図柄２０が表示されていることを最大の特徴とする。以下、本考案にかかるエスカレーター用手摺の実施形態を、図面に基づき説明する。
【００１６】
なお、本考案は、下記の実施形態に示した構成・態様に限定されるものではなく、本考案の技術的思想の要旨に逸脱しない範囲で、任意に変更することができるものである。
【００１７】
図１は、本考案にかかるエスカレーター用手摺の実施形態を示す説明図である。
すなわち、本考案にかかるエスカレーター用手摺は、手摺１２の表面に、所定の図柄２０が表示されている構成となっている。
【００１８】
手摺１２は、エスカレーター１におけるステップ１０と連動して動く無端ベルト状の手摺１２であって、その素材は常法に従い、ゴムやウレタンなどの合成樹脂素材により成形されている。該手摺１２の表面には、所定図柄２０が所定間隔を置いて複数箇所に表示されている。図柄２０間の所定間隔については、特に限定はないが、乗者の意識・注意を喚起すべく、ある程度狭い間隔置きに表示されることが好ましく、例えば１ｍ間隔で図柄２０を表示する態様が考え得る。なお、美観を鑑みて、複数の図柄２０が等間隔で表示されることが望ましい。
【００１９】
手摺１２に図柄２０を表示するための方法については、特に限定はない。例えば、手摺１２を素材から製造する段階で、同時に所定の図柄２０を描いてしまう方法が考え得る。あるいは、完成した無地の手摺１２に、所定図柄２０を後から描写・転写する方法も可能である。
【００２０】
このとき、裏面に粘着層を有するシール材により図柄２０が構成されている態様が考え得る。かかる態様を採用することにより、既存のエスカレーター１の手摺１２や手摺の完成品に対し、図柄２０を自由に貼り付けあるいは剥がすことができるため、時期に合わせた図柄２０の変更等が可能となる。
【００２１】
前記図柄２０について、抗菌性を備えさせることが可能である。抗菌性を備えさせるための方法については、特に限定するものではなく、例えば上述した従来技術である酸化チタンを配合することによる光触媒を利用する方法などが考え得る。かかる抗菌作用により、乗者の手摺１２を掴む手が清潔に保たれるため、積極的な手摺１２の掴持を促すことに資する。
【００２２】
さらに前記図柄２０について、蓄光性あるいは発光性を備えさせることが可能である。すなわち、図柄２０が蓄光塗料や発光素材等で描かれている態様である。かかる態様を採用することで、薄暗いような場所に設置されたエスカレーター１においても、該エスカレーター１の位置を正確に知ることが可能であって、道案内的役割を果たすと共に、手摺１２に表示された図柄２０を視認性向上に資することとなる。
【００２３】
本考案にかかるエスカレーター用手摺に描かれる図柄２０については、特に限定するものではなく、例えばハートや星形などの記号や、りんごなど果物の絵、某キャラクターの絵、注意喚起のマーク及び文言、店舗・ブランドのロゴマークその他宣伝広告情報など、種々の図柄が考え得る。図２は、本考案にかかるエスカレーター用手摺に表示される図柄２０の例示であり、すなわち（ａ）や（ｄ）のように記号が描かれたり、（ｂ）のようなキャラクターや（ｃ）のような果物の絵、（ｅ）のようなロゴマークや（ｆ）のような注意喚起マークなどが、図柄２０として手摺２０に表示されることとなる。このように、客層等に合わせて図柄２０を任意に選択することで、子供からお年寄りまで年齢を問わず、手摺１２の掴持促進に資することとなる。
【産業上の利用可能性】
【００２４】
本考案は、エスカレーター１の手摺１２の表面に掴みたくなるような所定の図柄２０が表示されることで、該手摺１２の掴持を喚起・促進することとなって、エスカレ−ター１の利用上の安全性向上に優れた効果を発揮するものである。したがって、本考案にかかるエスカレーター用手摺の産業上の利用可能性は大である。
【符号の説明】
【００２５】
１    エスカレーター
１０    ステップ
１２    手摺
２０    図柄
【図１】
0003186575.tif 000003
【図２】
0003186575.tif 000004
【手続補正書】
【提出日】平成25年8月9日(2013.8.9)
【手続補正１】
【補正対象書類名】明細書
【補正対象項目名】００２３
【補正方法】変更
【補正の内容】
【００２３】
本考案にかかるエスカレーター用手摺に描かれる図柄２０については、特に限定するものではなく、例えばハートや星形などの記号や、りんごなど果物の絵、某キャラクターの絵、注意喚起のマーク及び文言、店舗・ブランドのロゴマークその他宣伝広告情報など、種々の図柄が考え得る。図２は、本考案にかかるエスカレーター用手摺に表示される図柄２０の例示であり、すなわち（ａ）や（ｃ）のように記号が描かれたり、（ｂ）のような果物の絵、（ｄ）のようなロゴマークや（ｅ）のような注意喚起マークなどが、図柄２０として手摺２０に表示されることとなる。このように、客層等に合わせて図柄２０を任意に選択することで、子供からお年寄りまで年齢を問わず、手摺１２の掴持促進に資することとなる。
【手続補正２】
【補正対象書類名】図面
【補正対象項目名】図２
【補正方法】変更
【補正の内容】
【図２】
0003186575.tif 000005